(57)【要約】【課題】冷温表示等の商品情報の表示を容易に変更することのできる自動販売機を提供する。【解決手段】表示板保持部材４０を取外すことなく表示板Ｂを着脱自在に保持する上下一対の係止部４１を表示板保持部材４０に設けたので、表示板保持部材４０を取外すことなく表示板Ｂを着脱自在に取付けることができ、表示板Ｂの変更を容易に行なうことができる。また、表示板Ｂの上端及び下端を係止する係止部４１を表示板保持部材４０に設けたので、外扉２０の背面側から表示板Ｂを表示板保持部材４０に着脱自在に取付けることができ、表示板Ｂの変更を更に容易に行なうことが可能となる。【選択図】図９
2006338279.tif 000002
【特許請求の範囲】
【請求項１】
前面に開口部を有する自動販売機本体と、自動販売機本体内に設けられた商品収納部と、商品収納部を上下方向に仕切る仕切部材と、商品収納部を外部から視認可能に設けられ、商品収納部の前面を開閉する外扉と、仕切部材の前方に位置する外扉の背面側に設けられ、商品の情報を表示する表示板を保持する表示板保持部材とを備えた自動販売機において、
前記表示板保持部材に表示板を着脱自在に保持可能な保持部を設けた
ことを特徴とする自動販売機。
【請求項２】
前記保持部を表示板の上端及び下端が係止するように形成した
ことを特徴とする請求項１記載の自動販売機。
【請求項３】
前記表示板保持部材に、外扉の背面と表示板保持部材の前面との隙間を閉鎖する閉鎖部を設けた
ことを特徴とする請求項１または２記載の自動販売機。
【請求項４】
前面に開口部を有する自動販売機本体と、自動販売機本体内に設けられた商品収納部と、商品収納部を上下方向に仕切る仕切部材と、商品収納部を外部から視認可能に設けられ、商品収納部の前面を開閉する外扉とを備えた自動販売機において、
前記仕切部材の前方に位置する外扉の背面側に幅方向両端が着脱自在に係合し、商品の情報を表示する表示部材を備えた
ことを特徴とする自動販売機。
【請求項５】
前記表示部材に、外扉の背面と表示板保持部材の前面との隙間を閉鎖する閉鎖部を設けた
ことを特徴とする請求項４記載の自動販売機。
【請求項６】
前面に開口部を有する自動販売機本体と、自動販売機本体内に設けられた商品収納部と、商品収納部を上下方向に仕切る仕切部材と、商品収納部を外部から視認可能に設けられ、商品収納部の前面を開閉する外扉と、外扉の幅方向に隣接して設けられ、商品の販売に関する機器が収納される機器収納部と、機器収納部を開閉するとともに、前面に販売操作を行なう操作部が設けられた操作扉とを備えた自動販売機において、
前記仕切部材の前方に位置する外扉の前面側に着脱自在に設けられるとともに、操作扉を閉鎖することにより外扉に固定可能に設けられ、商品の情報を表示する表示部材を備えた
ことを特徴とする自動販売機。
【請求項７】
前記操作扉の外扉側及び表示部材の操作扉側の一方に固定孔を設け、他方に固定孔に係合可能な突起部を設けた
ことを特徴とする請求項６記載の自動販売機。
【発明の詳細な説明】
【技術分野】
【０００１】
本発明は、商品収納部の商品が外部から視認可能な扉を備えた自動販売機に関するものである。
【背景技術】
【０００２】
従来、この種の自動販売機としては、前面に開口部を有する自動販売機本体と、自動販売機本体内に設けられた商品収納部と、商品収納部を上下方向に仕切る仕切部材と、商品収納部を外部から視認可能に設けられ、商品収納部の前面を開閉する外扉と、仕切部材の前方に位置する外扉の背面側に設けられ、商品の情報を表示する表示板を着脱自在に保持する表示板保持部材とを備えたものが知られている（例えば、特許文献１参照）。
【特許文献１】特許第３６２１８００号公報
【発明の開示】
【発明が解決しようとする課題】
【０００３】
しかしながら、従来の自動販売機では、例えば販売商品の変更や冷却及び加熱の切換え等により表示板保持部材に保持された表示板を変更する場合に、表示板保持部材を取外してからその前面に保持された表示板を変更しなければならず、表示板を変更する作業が煩雑となるという問題点があった。
【０００４】
本発明は前記問題点に鑑みてなされたものであり、その目的とするところは、冷温表示等の商品情報の表示を容易に変更することのできる自動販売機を提供することにある。
【課題を解決するための手段】
【０００５】
本発明は前記目的を達成するために、前面に開口部を有する自動販売機本体と、自動販売機本体内に設けられた商品収納部と、商品収納部を上下方向に仕切る仕切部材と、商品収納部を外部から視認可能に設けられ、商品収納部の前面を開閉する外扉と、仕切部材の前方に位置する外扉の背面側に設けられ、商品の情報を表示する表示板を保持する表示板保持部材とを備えた自動販売機において、前記表示板保持部材に表示板を着脱自在に保持可能な保持部を設けている。
【０００６】
これにより、表示板保持部材を外扉から取外すことなく表示板が着脱可能となる。
【０００７】
また、前面に開口部を有する自動販売機本体と、自動販売機本体内に設けられた商品収納部と、商品収納部を上下方向に仕切る仕切部材と、商品収納部を外部から視認可能に設けられ、商品収納部の前面を開閉する外扉とを備えた自動販売機において、前記仕切部材の前方に位置する外扉の背面側に幅方向両端が着脱自在に係合し、商品の情報を表示する表示部材を備えている。
【０００８】
これにより、表示部材の幅方向両端が外扉の背面側に着脱自在に係合することから、表示部材が着脱可能となる。
【０００９】
また、前面に開口部を有する自動販売機本体と、自動販売機本体内に設けられた商品収納部と、商品収納部を上下方向に仕切る仕切部材と、商品収納部を外部から視認可能に設けられ、商品収納部の前面を開閉する外扉と、外扉の幅方向に隣接して設けられ、商品の販売に関する機器が収納される機器収納部と、機器収納部を開閉するとともに、前面に販売操作を行なう操作部が設けられた操作扉とを備えた自動販売機において、前記仕切部材の前方に位置する外扉の前面側に着脱自在に設けられるとともに、操作扉を閉鎖することにより外扉に固定可能に設けられ、商品の情報を表示する表示部材を備えている。
【００１０】
これにより、操作扉が閉鎖されることにより表示部材が固定され、操作扉が開放されることにより表示部材の固定が解除されることから、表示部材が着脱可能となる。
【発明の効果】
【００１１】
本発明によれば、表示板または表示部材を着脱自在に取付けることができるので、例えば冷温表示等の商品情報の変更を容易に行なうことができる。
【発明を実施するための最良の形態】
【００１２】
図１乃至図９は本発明の第１の実施形態を示すもので、図１は自動販売機の全体斜視図、図２は自動販売機の正面断面図、図３は自動販売機の側面断面図、図４は商品バケットの移動時を示す自動販売機の側面断面図、図５は外扉の背面側を示す要部斜視図、図６は表示体保持部材の斜視図、図７は外扉の要部側面断面図、図８は外扉の平面断面図、図９は表示板の取付時を示す要部側面断面図である。
【００１３】
この自動販売機は、前面に開口部を有する自動販売機本体１０と、自動販売機本体１０の開口部の幅方向一端側を開閉可能な外扉２０と、自動販売機本体１０の開口部の幅方向他端側を開閉可能な操作扉３０と、外扉２０に設けられ、販売する商品Ａの名称や冷温表示等の情報を表示するための表示板Ｂを保持可能な表示板保持部材４０とを備えている。
【００１４】
自動販売機本体１０は、内部を断熱壁１１によって幅方向に仕切ることにより、販売用の商品Ａを収納可能な商品収納部１２と販売動作に関する機器が収納される機器収納部１３が形成されている。商品収納部１２には、上下方向に間隔をおいて複数の棚板１２ａが設けられ、各棚板１２ａには前後方向に並べて載置された商品Ａをベルトコンベアによって前方に移動させることが可能な商品コラム１２ｂが幅方向に複数設けられている。商品収納部１２の前面側には、上下方向及び幅方向に移動可能な商品バケット１２ｃが設けられている。商品バケット１２ｃは、選択された商品コラム１２ｂの前方に移動するとともに、ベルトコンベアを駆動させて最前列の商品Ａを受容し、後述する商品取出口に商品Ａを搬送するようになっている。更に、商品収納部１２の下部には機械室１２ｄが設けられ、機械室１２ｄ内には図示しない圧縮機、凝縮器等の冷凍機器が収納されている。また、商品収納部１２は、断熱性の仕切部材としての仕切板１２ｅによって上下方向に仕切られており、仕切板１２ｅによって仕切られた商品収納部１２の下部は図示しない冷却器によって冷却されるとともに、商品収納部１２の上部は図示しないヒータ等によって加熱されるようになっている。更に、仕切板１２ｅの前端側には、商品収納部１２の上部を上下方向に移動可能な仕切部材としての可動板１２ｆが設けられ、商品収納部１２の上部を移動する商品バケット１２ｃと共に上下に移動可能となっている。可動板１２ｆの前端側には、表示板保持部材４０に当接することにより商品収納部１２の上部と下部との間の空気の流通を遮断可能な当接部材１２ｇが上下方向に回動自在に連結されている。当接部材１２ｇは、可動板１２ｆの下面に商品バケット１２ｃが接触すると、図示しないリンク機構によって下方に回動し、表示板保持部材４０との当接が解除されるようになっている。また、当接部材１２ｇの前端側には、表示板保持部材４０に密着するようにコムパッキン等によって当接部１２ｈが形成されている。
【００１５】
外扉２０は、自動販売機本体１０の幅方向一端側に回動自在に支持され、商品収納部１２を開閉するようになっている。また、外扉２０は、ガラスや樹脂等からなる透明板２１と、透明板２１の外周部に設けられた枠部材２２とから構成され、外部から商品収納部１２が視認可能となっている。
【００１６】
操作扉３０は、自動販売機本体１０の幅方向他端側に回動自在に支持され、機器収納部１３を開閉するようになっている。また、操作扉３０の前面には、硬貨投入口３１、返却レバー３２、金額表示部３３、紙幣投入口３４、商品選択部３５、コイン返却口３６、商品取出口３７が設けられている。
【００１７】
表示板保持部材４０は、幅方向に延びる透明樹脂製の部材からなり、仕切板１２ｅの前方に位置する外扉２０の背面側に設けられている。表示板保持部材４０には、冷温表示等の商品Ａの情報が印刷された幅方向に延びる矩形状の表示板Ｂが取付られ、外扉２０の透明板２１及び表示板保持部材４０を介して外部から表示板Ｂを視認できるようになっている。表示板保持部材４０の背面側には、表示板Ｂの上端及び下端をそれぞれ係止可能な上下一対の保持部としての係止部４１が溝状に形成され、表示板保持部材４０を取外すことなく外扉２０の背面側から表示板Ｂを着脱することが可能となっている。表示板保持部材４０の前面側の上端及び下端には、幅方向に亘って軟質の中空円筒状に形成され、透明板２１に密着することにより表示板保持部材４０の前面と外扉２０の背面との隙間を閉鎖する閉鎖部４２が設けられている。表示板保持部材４０の幅方向両端側には、表示板保持部材４０を外扉２０に係止するための係止片４３がそれぞれ幅方向外側に延びるように設けられ、外扉２０の透明板２１と接する枠部材２２の一部を切り欠くことにより形成された一対の係止孔２３に各係止片４３が挿入されるようになっている。また、下側の係止部４１の背面側には、幅方向に亘って当接部材１２ｇの当接部１２ｈが密着して当接可能な当接面４１ａが設けられている。
【００１８】
以上のように構成された自動販売機において、表示板保持部材４０を外扉２０に取付ける場合には、表示板保持部材４０を撓ませながら各係止片４３を外扉２０の係止孔２３に挿入し、表示板保持部材４０を外扉２０の背面側に取付ける。また、表示板Ｂを取付ける場合には、表示板Ｂの上端及び下端を表示板保持部材４０の各係止部４１の間に側面側からに挿入することにより、表示板Ｂを表示板保持部材４０に取付ける。このとき、表示板保持部材４０の下側の当接面４１ａには当接部材１２ｇの当接部１２ｈが幅方向に亘って当接するとともに、外扉２０の背面側には表示板保持部材４０の閉鎖部４２が幅方向に亘って当接することから、仕切板１２ｅによって仕切られた商品収納部１２の上部と下部の空気の流通が遮断される。また、表示板Ｂは表示板保持部材４０を取外すことなく切換が可能となる。更に、表示板保持部材４０を撓ませて外扉２０の各係止孔２３から各係止片４３を抜くことにより、表示板保持部材４０を外扉２０から取外すことができ、外扉２０の清掃等を容易に行なうことが可能となる。
【００１９】
このように、本実施形態の自動販売機によれば、表示板保持部材４０を取外すことなく表示板Ｂを着脱自在に保持する上下一対の係止部４１を表示板保持部材４０に設けたので、表示板保持部材４０を取外すことなく表示板Ｂを着脱自在に取付けることができ、表示板Ｂの変更を容易に行なうことができる。
【００２０】
また、表示板Ｂの上端及び下端を係止する係止部４１を表示板保持部材４０に設けたので、外扉２０の背面側から表示板Ｂを表示板保持部材４０に着脱自在に取付けることができ、表示板Ｂの変更を更に容易に行なうことが可能となる。
【００２１】
また、外扉２０の背面と表示板保持部材４０の前面との隙間を閉鎖する閉鎖部４２を表示板保持部材４０に設けたので、加熱されている商品収納部１２の上部と冷却されている商品収納部１２の下部との空気の流通を遮断することができ、消費電力量の低減を図ることができる。
【００２２】
図１０及び図１１は本実施形態の第２の実施形態を示すもので、図１０は表示板の斜視図、図１１は外扉の要部側面断面図である。尚、前記第１の実施形態と同様の構成部分には同一の符号を付して示す。
【００２３】
本実施形態の自動販売機は、前記第１の実施形態の表示板保持部材４０と表示板Ｂが一体に形成された表示部材４４である。
【００２４】
この表示部材４４は、幅方向に延びる矩形状に形成された樹脂製の部材からなり、各面に冷温表示等の異なる情報が印刷されている。表示部材４４の両面の上端及び下端には、幅方向に亘って軟質の中空に形成され、透明板２１に密着することにより表示板保持部材４０の前面と外扉２０の背面との隙間を閉鎖する閉鎖部４４ａが設けられている。表示部材４４の幅方向両端側には、表示部材４４を外扉２０に係止するための係止片４４ｂがそれぞれ幅方向外側に延びるように設けられ、外扉２０の透明板２１と接する枠部材２２の一部を切り欠くことにより形成された一対の係止孔２３に各係止片４４ｂが挿入されるようになっている。また、当接部材１２ｇの当接部１２ｈは、表示部材４４の背面側に位置する面に幅方向に亘って密着して当接するようになっている。
【００２５】
以上のように構成された自動販売機において、表示部材４４を外扉２０に取付ける場合には、表示部材４４の外部に表示する面を前面側に向けた状態で、表示部材を撓ませながら各係止片４４ｂを外扉２０の係止孔２３に挿入し、表示部材４４を外扉２０の背面側に取付ける。このとき、表示部材４４の背面側には当接部材１２ｇの当接部１２ｈが幅方向に亘って当接するとともに、外扉２０の背面側には表示部材４４の閉鎖部４４ａが幅方向に亘って当接することから、仕切板１２ｅによって仕切られた商品収納部１２の上部と下部の空気の流通が遮断される。また、表示部材４４の表示する面を切換える場合には、表示部材４４を撓ませて外扉２０の各係止孔２３から各係止片４４ｂを抜くことにより、表示部材４４を外扉２０から取外し、表示部材４４の反対面を前面側に向けて外扉２０に取付ける。
【００２６】
このように、本実施形態の自動販売機によれば、仕切板１２ｅの前方に位置する外扉２０の背面側に係合片４４ｂが着脱自在に係合し、商品Ａの情報を表示する表示部材４４を備えたので、表示板保持部材と表示板が一体に設けられた表示部材４４を着脱自在に取付けることができ、商品Ａの冷温表示等の切換を容易に行なうことができる。また、表示部材４４が容易に着脱可能となることから、外扉２０の清掃を容易に行なうことができる。
【００２７】
また、外扉２０の背面と表示部材４４の前面との隙間を閉鎖する閉鎖部４４ａを表示部材４４に設けたので、加熱されている商品収納部１２の上部と冷却されている商品収納部１２の下部との空気の流通を遮断することができ、消費電力量の低減を図ることができる。
【００２８】
図１２乃至図１６は本実施形態の第３の実施形態を示すもので、図１２は自動販売機の全体斜視図、図１３は表示板の斜視図、図１４は外扉及び操作扉の平面断面図、図１５は表示板の取付方法を示す外扉及び操作扉の分解平面断面図、図１６は表示板の取付状態を示す外扉及び操作扉の平面断面図である。
【００２９】
本実施形態の自動販売機は、表示部材４５が外扉２０の前面側に取付けられるようになっているものである。
【００３０】
この自動販売機は、外扉２０及び操作扉３０をそれぞれ閉鎖したときに外扉２０の操作扉３０側の端部を上下方向に亘って覆うカバー部材３８が操作扉３０の外扉２０側の端部に設けられており、操作扉３０の閉鎖により外扉２０の開放動作が規制されるようになっているものである。また、外扉２０の背面側には、当接部材１２ｇの当接部１２ｈが幅方向に亘って当接し、仕切板１２ｅによって仕切られた商品収納部１２の上部と下部との空気の流通が遮断される。
【００３１】
この表示部材４５は、幅方向に延びる矩形状に形成された樹脂製の部材からなり、各面に冷温表示等の異なる情報が印刷されている。表示部材４５の幅方向両端側には、表示部材４５を外扉２０に係止するための係止片４５ａがそれぞれ幅方向外側に延びるように設けられ、外扉２０の透明板２１の前面と接する枠部材２２の一部を切り欠くことにより形成された一対の係止孔２３に各係止片４５ａが挿入されるようになっている。また、表示部材４５の操作扉３０側の係止片４５ａには、カバー部材３８の背面側に設けられ、背面側に向かって突出するように形成された突起部３８ａが挿通可能な固定孔４５ｂが設けられている。更に、固定孔４５ｂの前面側に位置する枠部材２２にもカバー部材３８に形成された突起部３８ａが挿通可能な挿通孔２４が設けられている。
【００３２】
以上のように構成された自動販売機において、表示部材４５を外扉２０に取付ける場合には、まず、操作扉３０を開放した状態で、表示部材４５を撓ませながら各係止片４５ａを外扉２０の各係止孔２３にそれぞれ挿入し、表示部材４５を外扉２０の外側に取付ける。次に、操作扉３０を閉鎖してカバー部材３８に設けられた突起部３８ａを枠部材２２の挿通孔２４及び表示部材４５の固定孔４５ｂに挿通する。このとき、表示部材４５の固定孔４５ｂに突起部３８ａが挿通することにより、操作扉３０を開放しない限り表示部材４５を取外すことはできない。これにより、表示部材４５を取外すといった悪戯を防止することが可能となる。
【００３３】
このように、本実施形態の自動販売機によれば、仕切板１２ｅの前方に位置する外扉２０の外側に着脱自在に設けられ、操作扉３０を閉鎖することにより外扉２０に固定可能な表示部材４５を備えたので、操作扉３０を開放することにより保持板保持部材と表示板が一体に設けられた表示部材４５を着脱自在に取付けることができ、商品Ａの冷温表示等の切換を容易に行なうことができる。また、操作扉３０を閉鎖することにより外扉２０に表示部材４５が固定されることから、表示部材４５を取外すといった悪戯を防止することが可能となる。
【００３４】
また、表示部材４５の操作扉３０側の係合片４５ａに固定孔４５ｂを設け、操作扉３０の外扉２０側に設けられたカバー部材３８に突起部３８ａを設けたので、簡単な構造によって操作扉３０の閉鎖により表示部材４５を固定することができ、製造コストの低減を図ることができる。
【図面の簡単な説明】
【００３５】
【図１】本発明の第１の実施形態を示す自動販売機の全体斜視図
【図２】自動販売機の正面断面図
【図３】自動販売機の側面断面図
【図４】商品バケットの移動時を示す自動販売機の側面断面図
【図５】外扉の背面側を示す要部斜視図
【図６】表示体保持部材の斜視図
【図７】外扉の要部側面断面図
【図８】外扉の平面断面図
【図９】表示板の取付時を示す要部側面断面図
【図１０】本発明の第２の実施形態を示す表示板の斜視図
【図１１】外扉の要部側面断面図
【図１２】本発明の第３の実施形態を示す自動販売機の全体斜視図
【図１３】表示板の斜視図
【図１４】外扉及び操作扉の平面断面図
【図１５】表示板の取付方法を示す外扉及び操作扉の分解平面断面図
【図１６】表示板の取付状態を示す外扉及び操作扉の平面断面図
【符号の説明】
【００３６】
１０…自動販売機本体、１２…商品収納部、１２ｅ…仕切板、１２ｆ…可動板、１２ｇ…当接部材、１２ｈ…当接部、１３…機器収納部、２０…外扉、３０…操作扉、３８ａ…突起部、４０…表示板保持部材、４１…係止部、４２…閉鎖部、４３…係止片、４４…表示部材、４４ａ…閉鎖部、４４ｂ…係止片、４５…表示部材、４５ａ…係止片、４５ｂ…固定孔。
【図１】
2006338279.tif 000003
【図２】
2006338279.tif 000004
【図３】
2006338279.tif 000005
【図４】
2006338279.tif 000006
【図５】
2006338279.tif 000007
【図６】
2006338279.tif 000008
【図７】
2006338279.tif 000009
【図８】
2006338279.tif 000010
【図９】
2006338279.tif 000011
【図１０】
2006338279.tif 000012
【図１１】
2006338279.tif 000013
【図１２】
2006338279.tif 000014
【図１３】
2006338279.tif 000015
【図１４】
2006338279.tif 000016
【図１５】
2006338279.tif 000017
【図１６】
2006338279.tif 000018